(57)【要約】  関心領域又は関心ボリュームの規定、及び関心ある対象の描写は、重要であり、臨床画像化において頻繁に実行されるタスクである。しかしながら、このタスクに対する今日の解決策は、しばしば時間のかかるものであり、臨床医にとって扱いにくい。本発明は、直観的であるとともに、自動セグメンテーションアプローチが通常失敗するノイズの多い画像に対してさえ機能する代替のアプローチを提供する。開示されたシステム及び方法は、仮想的なｘ軸及びｙ軸に対するマウスの移動を、境界の描写の閾値及びスケール（すなわち、形状及びサイズ）の変更に自動的に変換し、これにより、システムのユーザ／臨床医が所望のＲＯＩ及び／又はＶＯＩに早く到達することを可能にする。
2009529947.tif 000002
【特許請求の範囲】
【請求項１】
ＲＯＩ又はＶＯＩを描写する方法であって、
臨床画像データを提供するステップと、
このようなＲＯＩ又はＶＯＩに対する境界描写の２つの態様の同時調整により、前記臨床画像に対するＲＯＩ又はＶＯＩを規定するステップと
を有する方法。
【請求項２】
前記臨床画像データが、従来の臨床画像化システム、例えばＰＥＴ，ＳＰＥＣＴ，ＣＴ，又は他の撮像システムにより生成される、請求項１に記載の方法。
【請求項３】
前記２つの態様の同時調整が、前記境界描写の閾値（形状）及びスケール（サイズ）を同時に調整することを含む、請求項１又は２に記載の方法。
【請求項４】
前記２つの態様の同時調整が、マウスで達成される、請求項１乃至３の何れか一項に記載の方法。
【請求項５】
前記マウスの垂直移動が、１つの態様を調整し、前記マウスの水平移動が、第２の態様を調整する、請求項４に記載の方法。
【請求項６】
前記垂直移動が閾値を調整し、前記水平移動がスケールを調整する、請求項５に記載の方法。
【請求項７】
ＲＯＩ又はＶＯＩを規定するステップが、マウスをクリックして固定することにより開始される、請求項１乃至６の何れか一項に記載の方法。
【請求項８】
動作モードの中からある動作モードを選択するステップを更に有し、該選択される動作モードは、境界の描写の２つの態様を同時に調整することにより、前記ＲＯＩ又はＶＯＩの規定を可能にする、請求項１乃至７の何れか一項に記載の方法。
【請求項９】
前記規定されるＲＯＩ又はＶＯＩを記憶するステップを更に有する、請求項１乃至８のいずれか一項に記載の方法。
【請求項１０】
更なる臨床動作において、前記規定されるＲＯＩ又はＶＯＩを利用するステップを更に有する、請求項１乃至９の何れか一項に記載の方法。
【請求項１１】
請求項１乃至１０の何れか一項に記載の方法を実施するシステム。
【請求項１２】
前記方法の実施が、ソフトウェア、プログラム、又はファームウェアの動作を含む、請求項１１に記載のシステム。
【請求項１３】
前記システムが、臨床画像化システムと関連付けられる、請求項１０又は１１に記載のシステム。
【発明の詳細な説明】
【技術分野】
【０００１】
本開示は、コヒーレントな領域を描写するため、関心領域及び／又は関心ボリュームの規定を容易にするシステム及び方法に向けられ、より詳細には、２次元及び３次元両方のデータ／システムに対して、インタラクティブ且つ高速な態様で、ノイズの多い画像データに対してさえ、関心領域又は関心ボリュームの規定を容易にするシステム及び方法に向けられる。開示されたシステム及び方法は、とりわけ関心ボリュームを関心領域のシーケンスとして連続したスライスで規定する、他の時間のかかる手順を排除する事を含めて、従来技術に対する多くの利点を提供する。
【背景技術】
【０００２】
関心領域及び／又は関心ボリュームの規定、並びに関心ある対象の描写は、重要であり、臨床画像において頻繁に実行されるタスクである。例えば臨床医は、放射線治療計画において関心ボリューム（ＶＯＩ）を識別及び／又は規定するため、これらのボリュームを決定するように腫瘍又は病変を描写する等のため、頻繁に呼び出される。今日のワークステーションで実現されるツールは、関心領域（ＲＯＩ）を規定するため、通常臨床医が幾何プリミティブ（例えば円、ボックス）を使用することを可能にする。更に、従来のワークステーションは、閉領域を規定するため、通常臨床医が「フリーハンドドロー」モードを使用することを可能にする。ＶＯＩの規定は、連続した画像スライスで、対応するＲＯＩのシーケンスの規定としてしばしば実現される。このような連続画像化技術を通じてＶＯＩを規定するプロセスは、扱いにくく、時間のかかるものである。
【０００３】
ＲＯＩを規定する他のアプローチは、画像セグメンテーションである。通常の画像セグメンテーション技術において、画像情報は、画像におけるコヒーレントな領域を自動的に描写するように利用される。例えばＪａｎｇによる米国特許ＵＳ５７５７９５３は、デジタル放射線画像の領域分解をする自動化された方法及びシステムを開示する。Ｊａｎｇの９５３特許の開示によると、デジタル放射線画像は、様々な領域にセグメンテーションされ、該領域は、更にサブ領域に分解され、デジタル画像データが取得され、デジタル画像化プロセスの複数のフェーズに従う。プログレッシブスムージング技術は、複数のスケールでスムージングされた領域を生成するために使用される。各スケールにおいて接続されるコンポーネントの数は、各スムージングされる領域及び形状スペクトルに対して計算され、これは、スケールの機能として接続されるコンポーネントの数であり、スケールの最も安定な範囲及び領域が分解されるサブ領域の最も安定した数を決定するように構築される。ほとんどの安定なスケールにおいて検出される、接続されるコンポーネントの幾何学的関係により、各ピクセルはサブ領域に分類され、分解されたマップは、様々な分解されたサブ領域の更なる画像処理に対する複数の値のテンプレートとして機能するように生成される。しかしながら、画像セグメンテーションは、画像情報がノイズを多く含む場合、少なくとも部分的に効果がない、及び／又は信頼できなくなり得るので、臨床医が必要とすることへの取り組みにしばしば失敗する。これは、排出データ（例えばＰＥＴ及びＳＰＥＣＴ用途）ではいつものことである。
【０００４】
関心領域の識別は、他のコンテキスト、例えばデジタル写真術にも関する。したがって、Ｍａｋｉらによる米国特許出願公開ＵＳ２００４／００９５４７７は、関心領域認識ユニットと、関心領域制御ユニットとを含む装置を記載する。画像領域識別ユニットは、様々な方法により、画像データに基づいて関心領域を認識する複数の関心領域認識モジュールを含む。Ｍａｋｉの出願公開によると、関心領域制御ユニットは、関心領域認識モジュールの中から１つの関心領域認識モジュールを選択し、上記の認識結果に基づいて関心領域情報を設定する。関心領域認識モジュールは、ユーザからの命令、又は画像取込ユニットのシーン選択スイッチにより選択されるシーンタイプにより選択され得る。更に、関心領域制御ユニットは、関心領域認識モジュールにより認識される関心領域を選択、拡大、若しくは削減するか、又はユーザの命令に従って、関心領域の識別状態を変更するような動作を実行し得る。
【０００５】
今日までの努力にも関わらず、より容易且つより直観的に使用する、ＲＯＩ及び／又はＶＯＩを識別及び／又は規定するシステム及び方法に対する必要性が、依然としてある。更に、ノイズの多い画像に対する向上された有効性を提供する、ＲＯＩ及び／又はＶＯＩを識別及び／又は規定するシステム及び方法に対する必要性が、依然としてある。これら及び他の必要性は、以下の記載から、特に添付の図面と合わせて読まれた場合に明らかであるように、開示されたシステム及び方法により満たされる。
【発明の開示】
【発明が解決しようとする課題】
【０００６】
本開示は、ＲＯＩ及びＶＯＩを識別及び規定する有利なシステム及び方法を提供する。
【課題を解決するための手段】
【０００７】
開示されたシステム及び方法は、従来の画像化システム／技術と比較して、使用するのに、より容易であり、直観的である。開示されたシステム及び方法は、かなりの量のノイズを含む画像、すなわちノイズの多い画像から、ＲＯＩ及びＶＯＩを識別及び規定することに対して、有利なことに効果的である。実際に開示されたシステム及び方法は、自動的なセグメンテーションのアプローチが通常失敗する画像から、ＲＯＩ及びＶＯＩを識別／規定することにおいて、通常効果的である。
【０００８】
本開示の例示的な実施例によると、ＲＯＩ／ＶＯＩの識別及び／又は規定が２つの態様、すなわち（ｉ）形状の識別／規定、及び（ｉｉ）サイズの識別／規定に分割される。これら２つの異なる態様と共に動作させると、開示されたシステム及び方法のユーザは、ＲＯＩ及び／又はＶＯＩをインタラクティブに識別／規定することができる。多くの臨床的状況において注目すべきコヒーレントな物体の形状は、画像がノイズを多く含む場合さえも、比較的高い値を使用する閾値により決定／規定され得る。初期の閾値プロセスは、通常意図される、及び／又は適切であるよりも小さい領域／ボリューム規定を得る。しかしながら、本開示によると、閾値形状は、ユーザ／臨床医が結果に満足するまで、インタラクティブにスケーリングされ得る。
【０００９】
開示されたシステム及び方法は、様々な用途及び実現に対してよく適合する。例示的な実施によると、開示されたシステム及び方法は、処理ユニット、例えば臨床画像化ワークステーションと関連付けられる処理ユニット上で動作するように適合される適切なプログラム及び／又はファームウェアで実現される。プログラム／ファームウェアは、例えば適切なアプリケーションプログラミングインタフェース（ＡＰＩ）を通じて、画像化ソフトウェアとインタラクションし、このような画像化システム、例えば陽電子放射断層撮影（ＰＥＴ）システム、単一光子放射断層撮影（ＳＰＥＣＴ）システム、コンピュータ断層撮影（ＣＴ）システム、磁気共鳴画像化（ＭＲＩ）システム等を通じて生成される画像に関連して、インタラクティブな操作を可能にするように通常適合される。使用するとき、開示されたシステム及び方法は、画像、例えば従来の画像化システムの実現を通じて生成される臨床画像を操作及び改善するのに有利なグラフィカルユーザインタフェース（ＧＵＩ）を促進する。
【００１０】
したがって、本開示の例示的な実施例によると、境界の描写の形状及びサイズをスクリーン上で操作することを通じて、ＲＯＩ／ＶＯＩの識別／規定を可能にするグラフィカルユーザインタフェースが設けられる。例示的な実施例において、ＧＵＩは、マウス、すなわちディスプレイスクリーン上のカーソル又はポインタの運動を制御する装置の操作／運動を通じて制御される。開示されたシステム／方法の臨床ユーザは、マウス操作を通じて、例えば堅く、平らな表面に沿うマウスの動きにより、画像の境界の形状及びサイズを規定及び修正することができる。マウスが動かされると、開示されたシステム／方法と関連付けられるプログラム／ファームウェアは、このような運動を、画像境界の形状及び／又はサイズの変化に変換する。一度所望の形状／サイズが規定されると、このような形状／サイズは、従来技術で知られるように、マウスと関連付けられるボタンをクリックすることにより、「確定」され得る。
【００１１】
本開示の例示的な実施例によると、マウス（及びスクリーン上の関連付けられるカーソル）の第１の方向への、すなわち第１の軸に沿う運動は、境界の描写の形状を調整し、マウス（及びスクリーン上の関連付けられるカーソル）の第２の方向への、すなわち第２の軸に沿う運動は、境界の描写のサイズを調整する。例えばマウス／カーソルの「垂直」運動（ｙ軸）は、境界の描写の形状に対する変形に影響し、マウス／カーソルの「水平」運動（ｘ軸）は、境界描写のサイズに対する変更に影響し得る。開示されるシステム／方法と関連付けられるプログラム／ファームウェアは、単一の軸に制限されないマウス／カーソルの運動を、これらそれぞれの水平／垂直ベクトル成分に変換するように有利に適合され、これにより、臨床医が、境界の描写の形状とサイズとを同時に調整することを可能にする。例えば、仮想的なｘ軸及びｙ軸に対して４５度の角度におけるマウス／カーソルの移動は、境界の描写の形状及びサイズの両方に対して、対応する変形に変換され得る。
【００１２】
マウス／カーソルの移動と関連付けられる境界の描写の変形の大きさは、通常プログラム及び／又はファームウェアにより定められ、これは、スクリーン上で、臨床ユーザにとって明らかであろう。このような「スケーリング」に対する変更は、臨床ユーザにより、例えばドロップダウンメニュ選択を通じて、実現され得、これにより臨床医が、臨床医及び／又はユーザの必要性に基づいて、境界修正の「感度」を調整することを可能にする。
【００１３】
開示されるシステム及び方法と関連付けられるグラフィカルユーザインタフェース（ＧＵＩ）の視覚的態様は、様々な形態を取り得る。例えばスクリーン上のカーソルは、以下のような様々なアイコン／画像により示され得る。
・矢印  マウスカーソルの下にピクセルの位置及びグレー値が示される。
・手  画像又は画像の一部が、マウスボタンをクリックして固定することにより、ドラッグされ得る。
・虫眼鏡  マウスカーソルの周りの領域の拡大表示が示される。
・点線のボックス  マウスボタンをクリックして固定することにより、ユーザが矩形の領域を規定し得る。
【００１４】
開示されるシステム及び方法は、１又はそれより多くの上述のマウス／カーソル可視化、及びその代替で実現され得る。開示されるシステム及び方法は、幅広い範囲の臨床の用途において、ＲＯＩ及びＶＯＩを素早く、効率的に、直観的に規定／改善する有利なツールを臨床医に提供する。開示されるシステム及び方法が臨床画像化モダリティに対して幅広く利用可能である一方、本開示の画像描写／改善技術は、小さな物体、例えば放射性トレーサフルオロデオキシグルコースを使用する腫瘍学、すなわちＦＤＧ研究における腫瘍の画像を規定及び改善することに対して、例えば特定の適用性及び利点を有する。
【００１５】
開示されるシステム及び方法と関連付けられる更なる特徴及び利点は、以下の詳細な説明から明らかになるであろう。
【００１６】
開示されるシステム及び方法を作り、使用することにおいて、当業者を支援するため、添付の図面に対する参照がなされる。
【発明を実施するための最良の形態】
【００１７】
開示されたシステム及び方法は、コヒーレントな領域を描写する直観的な態様を提供し、これによりノイズの多い画像データに対してさえ、関心領域又は関心ボリュームを規定する。開示されるシステム及び方法は、インタラクティブであり、臨床医が数秒以内に所望の結果を達成することを可能にする。開示されるシステム及び方法は、画像データが二次元及び三次元である用途を含め、幅広い画像化用途に使用され得る。臨床医は、連続したスライスでＲＯＩのシーケンスとしてＶＯＩを規定する従来の時間のかかる手順を回避及び／又は排除することができる。実際に、本開示のシステム及び方法は、自動的なセグメンテーション技術が、受け入れられる結果を与えることにしばしば失敗するノイズの多いデータに関する用途を含めて、臨床画像化用途における高速ＲＯＩ／ＶＯＩ規定を可能にする。
【００１８】
開示されたシステム及び方法によると、ＲＯＩ及び／又はＶＯＩの規定は、２つの態様、すなわち形状及びサイズに分割される。臨床医は、効率的なスクリーン上の処理を通じて、両方の態様、すなわち形状及びサイズを同時且つインタラクティブに調整及び／又は修正することができる。多くの臨床的な状況において、コヒーレントな物体の形状は、画像がノイズを多く含む場合さえ、比較的高い値を使用する閾値により決定され得る。これは、意図されるよりも小さい領域及び／又はボリュームの規定という結果となるであろう。それゆえ本開示のシステム及び方法は、システムユーザ／臨床医が、結果に満足するまで境界の描写をインタラクティブに規定及びスケーリングすることを可能にする。
【００１９】
図１を参照すると、従来の臨床画像化技術により生成される画像化データが説明される。図１の右側のプロットをまず参照すると、画像化データがノイズの多いものであることは明らかである。（実質的に釣鐘曲線であるギザギザの線を参照されたい。）このようなギザギザの線に従ってＲＯＩを描写したい臨床医にとって、かなりの困難が存在する。外形のプロットが示すように、ギザギザの領域は、元となるデータのノイズの多い性質により、閾値で効果的にセグメントされ得ない。特に、閾値Ｔ２は、図１の左側の画像において点線で描かれるようなＲＯＩ規定となるであろう。より高い閾値Ｔ１は、画像のノイズに対して過敏ではなくなり、それゆえ極めてよいＲＯＩの形状を表す。しかしながらＴ１閾値に対応する左側の画像において規定されるＲＯＩ領域は、最も内部の楕円の描写で表され、意図されるか、又は所望されるよりも小さい。
【００２０】
本開示によると、ＲＯＩ（又はＶＯＩ）描写境界をスケーリングする有利なシステム及び方法が設けられる。したがって、本開示は、図１の左側の画像の最も内側の境界描写が、Ｔ２閾値に対応するより大きい／外側の実質的に楕円の境界描写に、早く、効率的、及び直観的に変換されることを可能にする。ここに記載される態様で、境界の描写を増加させることにより、臨床医は、図１に表される例示的なノイズの多い画像データの代わりに、所望のＲＯＩ規定を達成する。
【００２１】
図２の概略を参照すると、本開示のシステム及び方法は、システムユーザ／臨床医が、２つの別個のパラメータ、すなわち形状及びサイズを同時に調整／修正することを可能にする。したがって、図２は、ｘ軸が「スケール」に対応し、ｙ軸が「閾値」に対応する２軸システムを図示する。本開示によるソフトウェア及び／又はファームウェアは、上記軸における閾値／スケールの位置を、臨床画像化システムにより生成及び表示される画像データと関連付けられる境界描写に変換するように設けられる。したがって、図２の例示的なベクトルＡを参照すると、システムユーザ／臨床医は、軸の交点により規定される初期の位置に対して増加された閾値及びスケールを得る、閾値及びスケールの軸に対する経路をナビゲートする。ベクトルＡによりトレースされる経路は、所望の境界描写を規定することへの例示的でインタラクティブなアプローチを表し、閾値がかなり急な傾斜でまず増加され、実質的に所望される閾値が識別／到達されると、スケールは上に調整される。ベクトルＡの端で、臨床医は、所望の境界描写に到達するため、閾値及びスケールの両方を良く調整する。
【００２２】
第２ベクトル、すなわちベクトルＢは、図２において概略的に図示され、まず閾値及びスケールの両方の低下を示し、続いて逆向きで、その結果所望の境界描写に到達するため、閾値のスケールが増加される。ベクトルＡと同様に、例示的なベクトルＢは、関心あるＲＯＩ及び／又はＶＯＩに対する所望される境界描写に到達するインタラクティブなアプローチを図示する。当業者には容易に明らかであるように、システムユーザ／臨床医が、画像データに関する境界の描写の閾値及びスケールをインタラクティブに調整すると、無限の数のベクトルが想定され得、これにより、ユーザ／臨床医に、臨床設定でこのようなＲＯＩ／ＶＯＩを規定することにおいて非常に大きな柔軟性及び効率性を提供する。
【００２３】
ＲＯＩ／ＶＯＩの境界描写をする、開示されるシステム及び方法は、従来の画像化システム、例えばＰＥＴ、ＳＰＥＣＴ、又は他の撮像システムにより生成される画像データを処理するソフトウェアとインタラクト及び／又は通信するマウス駆動グラフィカルユーザインタフェース（ＧＵＩ）を通じて通常実現される。本開示の例示的な実施例によると、マウスの移動は、境界描写と関連付けられる閾値及びスケールパラメータに自動的にマッピングされる。したがって、図２を参照すると、ベクトルＡに対応するマウスの移動は、（ｘ軸とｙ軸との交点により表される）開始点に対して、より高い閾値及びより大きなスケールを得るであろう。言い換えると、図２に概略的に図示される例示的な実施例によれば、垂直なマウスの運動（上又は下）は、閾値の修正に自動的に変換され、水平なマウスの運動（左又は右）は、相対的なスケールの修正に自動的に変換され、これにより極めて高速且つ直観的なＲＯＩ／ＶＯＩ規定を可能にする。
【００２４】
画像処理用途の多くのグラフィカルユーザインタフェース（ＧＵＩ）は、インタラクションの特定のモードを選択することを可能にし、マウスカーソルの形状によりしばしば示される。これらのインタラクションモードの通常の例は、次の通りである。
・矢印  マウスカーソルの下のピクセルの位置及びグレー値が示される。
・手  マウスボタンをクリックして固定することにより、画像又はその一部がドラッグされ得る。
・虫眼鏡  マウスカーソルの周りの領域の拡大表示が示される。
・破線のボックス  ユーザは、マウスボタンをクリックして固定することにより、矩形領域を規定することができる。
画像解釈、診断、及び治療計画のための臨床ワークステーションは、通常特定用途向けの更なるインタラクションモードを有する。本開示のシステム及び方法は、例えばこのようなあらゆるワークステーションの一部である標準的なＲＯＩ規定モードに類似する、１つのこのようなインタラクションモードとして実現され得る。説明する目的のため、開示されるユーザインタフェースモードは、「形状」及び「スケール」モードと呼ばれ得る。
【００２５】
したがって、本開示の例示的な実施例において、システムユーザ／臨床医は、例えばＧＵＩツールバーから、又はＧＵＩメニューからこのモードを選択することにより、「形状」及び「スケール」モードを選択し得る。開示された「形状」及び「スケール」モードの例示的な実施例において、マウスボタンを左クリックして固定することは、画像の境界描写と関連付けられる２つのパラメータの同時の変化を可能にする。したがって、マウスを垂直方向に移動させることにより、閾値の値の修正が影響され得、水平なマウスの移動は、自動的にスケーリング係数を変化させる。両方の軸に対する移動は、両方のパラメータを同時且つ自動的に変化させ、このような変化の各々の大きさは、移動の程度、並びに開示される「形状」及び「スケール」モードを実現する、関連付けられるプログラム／ファームウェアに基づいて予測される。
【００２６】
図３のフローチャートを参照すると、本開示によるＲＯＩ及び／又はＶＯＩを規定する例示的な手順は、通常以下のステップを含む。しかしながら、当業者には容易に明らかであるように、開示されるシステム及び方法の実現は、ここに記載される、開示されるステップ及び／又はシーケンスに制限されず、開示されるシステム及び方法は、本願の趣旨又は範囲から逸脱しない修正、変更、及び／又は向上を受け入れる余地がある。
【００２７】
図３のフローチャートに概略的に図示されるように、開示されるシステム及び方法は、臨床画像化システムに関連して使用され、より詳細には、臨床画像化システムにより生成される臨床画像データに関連して使用される。臨床画像データは、システムユーザ／臨床医によるレビューのため、モニタに表示される。システムユーザ／臨床医が、一度開示される「形状」及び「スケール」モード、すなわち本開示の２つの態様の描写の制御機能を実現するシステム又は方法を活性化及び／又は選択すると、ユーザ／臨床医は、所望されるＲＯＩ及び／ＶＯＩ描写にインタラクティブに到達することができる。
【００２８】
したがって、ユーザ／臨床医は、マウスカーソルを関心領域に位置させ、例えば左マウスボタンをクリックして固定することにより、「形状」及び「スケール」機能を活性化する。この位置におけるピクセルの値（又はこの値の一部）は、初期の閾値として使用され、該閾値よりも高い値を持つこの位置の周りのコヒーレントな領域は、例えばこの領域の輪郭線をプロットすることにより示される。ユーザ／臨床医は、垂直方向にマウスを下／上に移動させることにより、閾値を減少／増加し得る。カーソルの垂直運動は、開示されるシステム／方法と関連付けられるプログラム／ファームウェアを通じて、画像データに対する閾値の対応する修正に自動的に変換される。輪郭線は、ユーザの閾値修正のインパクトに関して、ユーザに視覚的フィードバックを提供するため、リアルタイムで更新される。それゆえ、ＲＯＩ形状の良い表示を与える閾値を設定するパラメータを見つけることは、ユーザ／臨床医にとって容易、効率的、且つ直観的なタスクである。マウスの水平移動は、ＲＯＩ既定のスケーリング係数を適合するように使用され得る。ここに使用されるように、スケーリングは、規定されるＲＯＩの領域を厚く（正のスケーリング係数）又は薄く（負のスケーリング係数）するとして意図される。マウスカーソルの同時の垂直及び水平運動は、境界の描写の閾値及びスケールに対して両方の修正に影響する。
【００２９】
ユーザが境界描写の結果に満足する、すなわち輪郭線が意図されるようにＲＯＩ又はＶＯＩを描く場合、ユーザはマウスボタンを離し、閾値及びスケール（すなわち形状及びサイズ）の現在のパラメータ設定が、ＲＯＩを規定するために使用される。このようなパラメータ設定（及び関連付けられるＲＯＩ／ＶＯＩ）は、更なる動作において、従来のツールで生成されるＲＯＩ／ＶＯＩが記憶され、使用されるのと同じ態様で、通常記憶及び／又は利用される。当業者には容易に明らかなように、システムユーザ及び臨床医は、早い態様で、例えば数秒以内に意図されるＲＯＩ／ＶＯＩを同時且つ直観的に両方のパラメータを適合させ得るであろう。
【００３０】
開示されるシステム及び方法は、幅広い範囲の適応性を有する。例えばＲＯＩ／ＶＯＩ規定の２つの態様のアプローチが、以下のように有利に使用され得る。
・３次元画像のＶＯＩ規定に対する拡張
・閾値／スケールパラメータに対する良い開始値を生成するアルゴリズムを含む
・コールドスポットに対してもＲＯＩ規定を可能にする上限として閾値を使用する。
・ユーザインタラクションの代替のモード、例えばマウス移動の代わりのスライダ。
・視覚的フィードバックを提供する代替のモード、例えば輪郭線の代わりに影付きの領域。
【００３１】
開示されるシステム及び方法は、広く実現される、及び／又はいくつかのモダリティに対する臨床画像化ソフトウェアの一部として組み込まれ得る。従って、開示される「形状」及び「スケール」モードと関連付けられるプログラム／ソフトウェアは、臨床画像化システムの標準的なソフトウェアパッケージに組み込まれ得るか、ここでの動作に適合するオプションのモジュールとして提供され得る。どちらの場合も、開示されるシステム及び方法は、ＲＯＩ／ＶＯＩ境界描写に対する代替の改善されたアプローチを提供し、効率的且つ直観的な態様で、インタラクティブなＲＯＩ／ＶＯＩ規定を有利にサポート及び／又は容易にする。開示されるシステム及び方法は、いずれの臨床画像データでも使用され得るが、頻繁にノイズの多い画像を生成する、ＰＥＴ、ＳＰＥＣＴ又は低線量ＣＴのようなモダリティに対して特に有利である。
【００３２】
本開示は例示的な実施例、並びに開示されるシステム及び方法の実現を記載するが、本開示はこのような例示的な実施例に制限されない。むしろ、開示されるシステム及び方法は、本開示の趣旨又は範囲から逸脱することなく、多くの変形、修正、及び／又は向上を受け入れる余地がある。ここに開示される例示的な実施例及び実現は、単に説明するものであり、本開示を制限すると意図されない。
【図面の簡単な説明】
【００３３】
【図１】図１は、ノイズの多いデータを含む画像と関連する、関心領域の描写を図示する一対の画像である。
【図２】図２は、本開示の例示的な実施例による境界の描写の形状及びサイズを調整する２軸の技術を概略的に図示する。
【図３】図３は、本開示による画像の境界を描写する例示的な技術を説明するフローチャートである。
【図１】
2009529947.tif 000003
【図２】
2009529947.tif 000004
【図３】
2009529947.tif 000005
【国際調査報告】
2009529947.tif 000006
2009529947.tif 000007